(57)【特許請求の範囲】
【請求項１】
粒子線治療装置の照射ノズルから治療台に固定された患者の患部に粒子線を照射する粒子線治療において、実際に粒子線を照射する前に、個々の患者に対して照射位置決定用画像を撮影するとともに前記照射ノズルの位置を調整するための粒子線治療シミュレータ装置であって、
患者を固定する固定具を有し、前記治療台と同じ動作機能を有する模擬治療台、
前記模擬治療台を移動させ、前記模擬治療台の位置を調整する模擬治療台操作手段、
前記照射ノズルと同一形状及び同一サイズであり、前記照射ノズルと同じ動作範囲で動く模擬照射ノズル、
前記模擬照射ノズルを移動させ、前記模擬照射ノズルの位置を調整する模擬照射ノズル操作手段、
前記模擬治療台に固定された患者の患部付近のＸ線画像を撮影する撮影手段、
前記撮影手段にネットワークを介して接続され、前記撮影手段にて撮影された前記Ｘ線画像を前記照射位置決定用画像として保存する画像保存サーバを備えたことを特徴とする粒子線治療シミュレータ装置。 
【請求項２】
請求項１に記載の粒子線治療シミュレータ装置であって、前記模擬照射ノズルとして、前記模擬治療台の上面側に設けられ垂直方向に移動するもの、及び前記模擬治療台の側面側に設けられ水平方向に移動するもののいずれか一方または両方を備えたことを特徴とする粒子線治療シミュレータ装置。
【請求項３】
請求項１に記載の粒子線治療シミュレータ装置であって、前記撮影手段は、Ｘ線管及びＸ線検出器から構成されることを特徴とする粒子線治療シミュレータ装置。
【請求項４】
請求項３に記載の粒子線治療シミュレータ装置であって、前記撮影手段を二組備え、これら二組の撮影手段により前記模擬治療台に固定された患者の側面及び上面からのＸ線画像を撮影するようにしたことを特徴とする粒子線治療シミュレータ装置。
【請求項５】
請求項１に記載の粒子線治療シミュレータ装置であって、前記撮影手段は、コンピュータＸ線断層撮影装置であることを特徴とする粒子線治療シミュレータ装置。
【請求項６】
請求項１に記載の粒子線治療シミュレータ装置であって、前記模擬治療台の周囲で回転可能に設けられた回転ガントリをさらに備え、前記撮影手段及び前記模擬照射ノズルを前記回転ガントリ上に配設したことを特徴とする粒子線治療シミュレータ装置。
【請求項７】
請求項１に記載の粒子線治療シミュレータ装置であって、前記模擬照射ノズルの位置からレーザビームを照射可能なレーザ装置をさらに備え、患者の患部に対して実際の粒子線が照射される位置を目視で確認できるようにしたことを特徴とする粒子線治療シミュレータ装置。
【発明の詳細な説明】
【技術分野】
【０００１】
本発明は、粒子線治療において、粒子線を照射する前に、個々の患者に対して照射位置決定用画像を撮影するとともに照射ノズルの位置を調整するための粒子線治療シミュレータ装置に関するものである。
【背景技術】
【０００２】
粒子線治療は、サイクロトロンやシンクロトロン等の加速器から得られる陽子線や重粒子（重イオン）線を患部（病巣）に照射することによって、主にがんを治す治療法である。陽子線や重イオン線を用いた粒子線治療は、人体の表面からある深さにおいて吸収量がピークになる特性を備えるため、粒子線のエネルギーを調整し患部の位置に合わせて高い線量を与えることができ、体表面近くで線量が最大になる従来のＸ線治療に比べて正常組織の損傷が少ない治療法として期待されている。
【０００３】
このような粒子線治療においては、粒子線を患者の患部に適切かつ効率的に照射することが重要であり、実際に粒子線を照射する前に、個々の患者に対して必ずリハーサルと呼ばれる作業が行われる。リハーサルを行う目的は、照射位置決定用画像を撮影すること、照射ノズルの位置を調整すること、さらに患者に照射の具体的な手順を理解してもらい、実際の照射に備えて慣れてもらうことである。
【０００４】
リハーサルの手順について図２を流用して説明する。まず、照射位置決定用画像の撮影では、加速器２及びビームライン機器群３から構成される粒子線治療装置１の照射ノズル４が設置された照射室１０において、治療台５に患者Ｂを固定具６にて固定し、治療台操作用ボタン９により治療台５の位置を調整する。次に、Ｘ線管７ａ、７ｂとＸ線検出器である撮像装置８ａ、８ｂを用いて、患者Ｂの側面及び正面（上面）からのＸ線画像を撮影する。撮影されたＸ線画像は、撮像装置８ａ、８ｂにネットワーク１２を介して接続された画像保存サーバ１３に照射位置決定用画像として保存される。
【０００５】
また、リハーサルにおける照射ノズル４の位置調整では、照射位置決定用画像の撮影と同様に患者Ｂを治療台５に固定した状態で、照射ノズル４を照射ノズル操作用ボタン１１にて水平方向（矢印４ａの方向）に移動させ、患者Ｂに接触せず且つ離れすぎない適切な位置に調整する。なお、照射ノズル４の適切な位置は、患者の体型、患部、ビームを照射する方向等によって患者毎に異なる。
【０００６】
さらに、実際に粒子線を照射する際には、リハーサルで撮影した照射位置決定用画像をもとに、これと同じ位置になるように治療台５の位置を調整し、照射ノズル４の位置をリハーサル時に決定した位置になるように調整する位置決め作業が行われる。この位置決め作業を短縮するために、特許文献１では、複数の治療台が載置されたターンテーブルを、その一部が治療室（照射室）内に収容されるように回転可能に配設し、患者を治療待ち状態においてあらかじめ治療室外で位置決めし、ターンテーブルにより治療台ごと治療室内に回転移動することが可能な放射線治療装置が提示されている。また、特許文献２では、患者セッティングのための準備室、位置決めのためのシミュレータ室及び放射線の照射を行う照射室を用意し、患者をベッド搬送により移動させる方法が提案されている。
【特許文献１】特開平５−１６１７２０号公報
【特許文献２】特開２０００−２８８１０２号公報
【発明の開示】
【発明が解決しようとする課題】
【０００７】
従来の粒子線治療では、実際に粒子線を照射する照射室にて、照射位置決定用画像を撮影するとともに照射ノズルの位置を調整するリハーサルを行っていた。しかしながら、リハーサル中は一人の患者が照射室を長時間独占することになり、その間は別の患者に対して治療が行えないため、治療できる患者数が限られてしまい、粒子線治療装置の利用効率が悪いという問題があった。
【０００８】
このような問題を解決する方法として、照射室を複数用意することが考えられるが、粒子線治療装置は非常に高価であり、増設するためには莫大な費用がかかるという問題があった。なお、上記特許文献１及び特許文献２は、実際の照射時の位置決め作業を効率化するものであり、リハーサルの効率化を図るものではないため、上記の問題の解決にはならない。
【０００９】
本発明は、上記のような問題点を解決するためになされたもので、粒子線治療におけるリハーサルを行うための安価な粒子線治療シミュレータ装置を提供し、粒子線治療装置を効率的に運用することを目的とする。
【課題を解決するための手段】
【００１０】
本発明に係る粒子線治療シミュレータ装置は、粒子線治療装置の照射ノズルから治療台に固定された患者の患部に粒子線を照射する粒子線治療において、実際に粒子線を照射する前に、個々の患者に対して照射位置決定用画像を撮影するとともに照射ノズルの位置を調整するための粒子線治療シミュレータ装置であって、患者を固定する固定具を有し、治療台と同じ動作機能を有する模擬治療台、模擬治療台を移動させ、模擬治療台の位置を調整する模擬治療台操作手段、照射ノズルと同一形状及び同一サイズであり、照射ノズルと同じ動作範囲で動く模擬照射ノズル、模擬照射ノズルを移動させ、模擬照射ノズルの位置を調整する模擬照射ノズル操作手段、模擬治療台に固定された患者の患部付近のＸ線画像を撮影する撮影手段、撮影手段にネットワークを介して接続され、撮影手段にて撮影されたＸ線画像を照射位置決定用画像として保存する画像保存サーバを備えたものである。
【発明の効果】
【００１１】
本発明に係る粒子線治療シミュレータ装置によれば、治療台と同じ動作機能を有する模擬治療台、照射ノズルと同じ動作範囲で動く模擬照射ノズル、及び撮影手段とネットワークを介して接続された画像保存サーバを備えているので、実際に粒子線を照射する前に個々の患者に対して照射位置決定用画像を撮影するとともに、照射ノズルの位置を調整するリハーサルを行うことができる。従って、従来のように粒子線治療装置を備えた照射室でリハーサルを行う必要がなくなり、治療できる患者数が増え、粒子線治療装置を効率的に運用することが可能となる。また、本発明による粒子線治療シミュレータ装置には、加速器やビームライン機器群は必要ないため、照射室を増設するよりも格段に安価に増設することができる。 
【発明を実施するための最良の形態】
【００１２】
本発明は、粒子線治療装置の照射ノズルから治療台に固定された患者の患部に粒子線を照射する粒子線治療において、実際に粒子線を照射する前に、個々の患者に対して照射位置決定用画像を撮影するとともに照射ノズルの位置を調整する「リハーサル」と呼ばれる作業を行うための粒子線治療シミュレータ装置に係るものである。以下に、本発明を実施するための最良の形態である実施の形態１〜実施の形態６について図面に基づいて説明する。
【００１３】
実施の形態１．
図１は、本発明の実施の形態１に係る粒子線治療シミュレータ装置が設置されたシミュレーション室、及び照射室を示す側面図である。本実施の形態１における粒子線治療シミ
ュレータ装置は、実際に粒子線の照射が行われる照射室１０とは別に設けられたシミュレーション室１００に設置されるものであり、図１に示すように、照射室１０とシミュレーション室１００は類似した構成となっている。
【００１４】
まず、照射室１０に設置された各機器について、図１及び図２を用いて説明する。粒子線治療装置１は、サイクロトロンやシンクロトロン等の加速器２、ビームライン機器群３等を備えた大規模なものであり、その照射ノズル４が照射室１０内に設置される。加速器２で加速された粒子線は、ビームライン機器群３により患者Ｂの患部に合わせた形状に整えられ、照射ノズル４を経由して照射される。本実施の形態１では、照射ノズル４は治療台５の４つの側面のうちの１つの側面（長辺）５ｃ側に設けられ、照射ノズル操作手段である照射ノズル操作用ボタン１１により水平方向（矢印４ａの方向）に移動される。
【００１５】
また、治療台５は、患者Ｂを固定する固定具６を有し、水平方向及び垂直方向（図１では上下方向）の移動と回転可能に設けられている。治療台５は、治療台操作手段である治療台操作用ボタン９により移動され、位置の調整が行われる。なお、治療台５の動作機能については特に限定するものではないが、粒子線を患者Ｂの患部に適切かつ効率的に照射するために、あらゆる方向へ回転自在に設けられていることが望ましい。例えば回転方向については、略矩形である治療台５の上面５ａの短辺５ｂ、長辺５ｃ、または対角線（図示せず）それぞれと平行な軸を、回転軸とすることができる。
【００１６】
さらに、粒子線照射方向とほぼ平行に設けられたＸ線管７ａと撮像装置８ａ（軸内）、及び粒子線照射方向にほぼ直交するように設けられたＸ線管７ｂと撮像装置８ｂ（軸外）から構成される二組の撮影手段を備えている。Ｘ線管７ａと撮像装置８ａから構成される撮影手段は、治療台５に固定された患者の側面からのＸ線画像（図１では患者Ｂの左から右へ向かう矢印方向のＸ線画像）を撮影し、Ｘ線管７ｂと撮像装置８ｂから構成される撮影手段は、患者の正面からのＸ線画像（図１では患者Ｂの上から下へ向かう矢印方向のＸ線画像）を撮影する。これらの撮像装置８ａ、８ｂは、ネットワーク１２を介して画像保存サーバ１３に接続されている。なお、画像保存サーバ１３は照射室１０内に設置する必要はない。
【００１７】
本実施の形態１で用いられる撮像装置８ａ、８ｂとしては、一般に広く用いられているイメージインテンシファイア管（I.I.管）やフラットパネルディテクタ（ＦＰＤ）等のＸ線検出器が用いられるが、特に限定されるものではない。I.I.管は、入射されたＸ線像を可視光に変換するデバイスであり、得られた可視光像は光学系を介してフィルムやビデオカメラに取り込まれる。また、ＦＰＤは、Ｘ線の強度分布をデジタル信号に変換するものである。
【００１８】
次に、シミュレーション室１００に設置された各機器について説明する。シミュレーション室１００内には、本実施の形態における粒子線治療シミュレータ装置を構成する模擬治療台５０及び模擬治療台操作用ボタン９０、模擬照射ノズル４０及び模擬照射ノズル操作用ボタン１１０、さらにＸ線管７０ａと撮像装置８０ａ、及びＸ線管７０ｂと撮像装置８０ｂから構成される二組の撮影手段が設置されている。
【００１９】
模擬治療台５０は、照射室１０内の治療台５と同様の固定具６０を有しており、治療台５と同じ動作機能を有する。すなわち、水平方向（図１では左右方向）及び垂直方向（図１では上下方向）の移動と回転可能に設けられており、模擬治療台操作手段である模擬治療台操作用ボタン９０により移動され、位置の調整が行われる。
【００２０】
また、模擬照射ノズル４０は、照射室１０内の照射ノズル４と同一形状及び同一サイズであり、照射ノズル４と同じ動作機能を有する。本実施の形態１では、模擬照射ノズル４
０は、模擬治療台５０の４つの側面のうちの１つの側面（長辺）５０ｃ側に設けられ、模擬照射ノズル操作手段である模擬照射ノズル操作用ボタン１１０により水平方向（矢印４０ａの方向）に移動される。模擬照射ノズル４０は、照射ノズル４を簡略化したものであり、ビームライン機器群３が付属していないため実際の粒子線照射は行えない。
【００２１】
さらに、Ｘ線管７０ａと撮像装置８０ａ、及びＸ線管７０ｂと撮像装置８０ｂから構成される二組の撮影手段を備えている。これらは照射室１０の撮影手段と同様のもので、粒子線照射方向とほぼ平行に設けられたＸ線管７０ａと撮像装置８０ａ（軸内）、及び粒子線照射方向にほぼ直交するように設けられたＸ線管７０ｂと撮像装置８０ｂ（軸外）から構成される。撮像装置８０ａ、８０ｂとしては、照射室１０と同様に、イメージインテンシファイア管（I.I.管）やフラットパネルディテクタ（ＦＰＤ）等のＸ線検出器が用いられる。
【００２２】
Ｘ線管７０ａと撮像装置８０ａから構成される撮影手段は、模擬治療台５０に固定された患者の側面からのＸ線画像（図１では患者Ｂの左から右へ向かう矢印方向のＸ線画像）を撮影し、Ｘ線管７０ｂと撮像装置８０ｂから構成される撮影手段は、患者の上面（正面）からのＸ線画像（図１では患者Ｂの上から下へ向かう矢印方向のＸ線画像）を撮影する。これらの撮像装置８０ａ、８０ｂは、ネットワーク１２を介して画像保存サーバ１３に接続されている。なお、画像保存サーバ１３はシミュレーション室１００内に設置する必要はない。
【００２３】
次に、本実施の形態におけるシミュレーション室１００を用いたリハーサルについて説明する。まず、模擬治療台５０に患者Ａを固定具６０にて固定し、模擬治療台操作用ボタン９０により患者Ａの患部に合わせて模擬治療台５０の位置の調整をする。次に、Ｘ線管７０ａ、７０ｂと撮像装置８０ａ、８０ｂを用いて、患者Ａの側面及び上面（正面）からのＸ線画像を撮影する。
【００２４】
撮影されたＸ線画像は、撮像装置８０ａ、８０ｂにネットワーク１２を介して接続された画像保存サーバ１３に送信され、照射位置決定用画像として保存される。同様に患者Ａを模擬治療台５０に固定した状態で、模擬照射ノズル４０を模擬照射ノズル操作用ボタン１１０にて水平方向に移動させ、患者Ａに接触せず且つ離れすぎない適切な位置に調整する。
【００２５】
以上のリハーサルを行った患者Ａに対し、照射室１０にて実際に粒子線を照射する際には、リハーサルで撮影した照射位置決定用画像を画像保存サーバ１３から呼び出し、Ｘ線管７ａと撮像装置８ａ、及びＸ線管７ｂと撮像装置８ｂから構成される二組の撮影手段によるＸ線画像が呼び出した照射位置決定用画像とそれぞれ一致するように、治療台５の位置を調整する。さらに、照射ノズル４を、リハーサルにおいて調整された模擬照射ノズル４０の位置と同じ位置になるように調整する（位置決め作業）。
【００２６】
なお、これらの位置決め作業は、リハーサルにおいて模擬治療台５０及び模擬照射ノズル４０の位置を調整する際に、模擬治療台５０及び模擬照射ノズル４０の移動量（移動値）を記憶する手段（図示せず）を備えることにより格段に効率化されるため、粒子線治療シミュレータ装置には、移動量（移動値）記憶手段を備えることが望ましい。
【００２７】
以上のように、本実施の形態１に係る粒子線治療シミュレータ装置によれば、実際に粒子線を照射する前に、個々の患者に対して照射位置決定用画像を撮影するとともに照射ノズルの位置を調整するリハーサルを、照射室１０とは別のシミュレーション室１００で行うことが可能となる。従って、図１に示すように、照射室１０で患者Ｂの治療を行いながら、シミュレーション室１００で患者Ａのリハーサルを同時に行うことができる。その結
果、治療できる患者数が増え、照射室１０の利用効率が高くなり、粒子線治療装置を効率的に運用することが可能となる。
【００２８】
また、リハーサルは、実際の粒子線照射による治療よりも長時間を要するため、リハーサルを効率良く行うためにシミュレーション室１００を複数設置してもよい。その場合にも、本実施の形態１に係る粒子線治療シミュレータ装置には、加速器２やビームライン機器群３は必要ないため、従来の照射室１０を増設するよりも格段に安価に増設することができる。これらの結果、治療できる患者数が増え、医療機関及び患者双方にとって多大な利益が得られる。
【００２９】
実施の形態２．
図３は、本発明の実施の形態２に係る粒子線治療シミュレータ装置が設置されたシミュレーション室を示す側面図である。なお、図３中、図１と同一、相当部分には同一符号を付している。本実施の形態２における粒子線治療シミュレータ装置は、模擬照射ノズル４１が模擬治療台５０の上面側（天井側）に設けられ、模擬照射ノズル操作手段である模擬照射ノズル操作用ボタン１１０により垂直方向（矢印４１ａの方向）に移動される。その他の構成及び動作については上記実施の形態１と同様であるので説明を省略する。
【００３０】
上記実施の形態1では、粒子線治療シミュレータ装置の模擬照射ノズル４０は模擬治療
台５０の側面５０ｃ側に、水平方向に移動するように設けられている（図１参照）。しかし、患者Ａの患部の位置によっては、患者の上部（天井側）から垂直方向に粒子線を照射する方が効果的な場合があり、そのような場合には、照射ノズルが治療台の上面側に設けられ、垂直方向に粒子線を照射する粒子線治療装置が用いられる。
【００３１】
そこで、本実施の形態２におけるシミュレーション室１０１には、模擬照射ノズル４１が模擬治療台５０の上面側に設けられ、垂直方向に移動する粒子線治療シミュレータ装置を設置し、垂直方向からの粒子線照射のリハーサルを行えるようにした。なお、本実施の形態２では、Ｘ線管７０ｂと撮像装置８０ｂが粒子線照射方向とほぼ平行に設けられ（軸内）、Ｘ線管７０ａと撮像装置８０ａが粒子線照射方向にほぼ直交するように設けられている（軸外）。
【００３２】
以上のように、本実施の形態２に係る粒子線治療シミュレータ装置によれば、模擬治療台５０の上面側に設けられた模擬照射ノズル４１を備えたので、垂直方向からの粒子線照射のリハーサルを行うことができる。なお、上記実施の形態１によるシミュレーション室１００と本実施の形態２によるシミュレーション室１０１を両方用意することにより、水平方向の粒子線照射、及び垂直方向の粒子線照射の両方に対してリハーサルを行うことが可能である。
【００３３】
実施の形態３．
図４は、本発明の実施の形態３に係る粒子線治療シミュレータ装置が設置されたシミュレーション室を示す側面図である。なお、図４中、図１と同一、相当部分には同一符号を付している。上記実施の形態1では、模擬治療台５０の側面５０ｃ側に設けられ水平方向
に移動する模擬照射ノズル４０を備えたもの、上記実施の形態２では、模擬治療台５０の上面側に設けられ垂直方向に移動する模擬照射ノズル４１を備えたものについて説明したが、本実施の形態３は、上記実施の形態１と実施の形態２を組み合わせた粒子線シミュレータ装置について説明する。
【００３４】
すなわち、本実施の形態３における粒子線治療シミュレータ装置は、模擬治療台５０の側面５０ｃ側に設けられた模擬照射ノズル４０と、模擬治療台５０の上面側に設けられた模擬照射ノズル４１を備えている。これらの模擬照射ノズル４０、４１は、模擬照射ノズ
ル操作手段である模擬照射ノズル操作用ボタン１１１により、水平方向（矢印４０ａの方向）及び垂直方向（矢印４１ａの方向）にそれぞれ移動される。その他の構成及び動作については上記実施の形態１と同様であるので説明を省略する。
【００３５】
本実施の形態３における粒子線治療シミュレータ装置が設置されたシミュレーション室１０２は、水平、垂直いずれか一方向の粒子線照射に対してリハーサルを行う際に利用してもよいが、水平方向及び垂直方向からの粒子線照射を連続して行う多門照射という照射方式のリハーサルに利用することができる。多門照射の場合、水平方向、垂直方向のリハーサルを同時に行う必要があるが、本実施の形態３による粒子線治療シミュレータ装置では、模擬照射ノズル４０、４１を模擬照射ノズル操作用ボタン１１１により同時に調整することができるため、多門照射のリハーサルを容易に行うことができる。
【００３６】
以上のように、本実施の形態３に係る粒子線治療シミュレータ装置によれば、模擬治療台５０の側面５０ｃ側に設けられた模擬照射ノズル４０と、模擬治療台５０の上面側に設けられた模擬照射ノズル４１を備えたので、水平、垂直いずれの照射方向の粒子線治療に対してもリハーサルを行うことができ、照射方向ごとにそれぞれシミュレーション室１００、１０１を用意するよりもコストが抑えられる。さらに、多門照射のリハーサルを容易に行うことができる。
【００３７】
実施の形態４．
図５は、本発明の実施の形態４に係る粒子線治療シミュレータ装置が設置されたシミュレーション室を示す側面図である。なお、図５中、図１と同一、相当部分には同一符号を付している。本実施の形態４における粒子線治療シミュレータ装置は、模擬治療台５０の周囲で回転可能に設けられた回転ガントリ１４を備えており、模擬照射ノズル４２及び撮影手段であるＸ線管７０ａ、７０ｂと撮像装置８０ａ、８０ｂを回転ガントリ１４上に配設したものである。
【００３８】
粒子線、特に陽子線を用いた粒子線治療においては、回転ガントリ上にビームライン機器群や照射ノズルを設置し、回転ガントリを回転させることで任意の角度から粒子線を照射する治療が行われる。そこで、本実施の形態４におけるシミュレーション室１０３には、模擬照射ノズル４２及び撮影手段であるＸ線管７０ａ、７０ｂと撮像装置８０ａ、８０ｂが回転ガントリ１４上に配設された粒子線治療シミュレータ装置を設置し、回転ガントリを用いた任意の角度からの粒子線治療のリハーサルを行えるようにした。
【００３９】
本実施の形態におけるシミュレーション室１０３を用いたリハーサルでは、まず、回転ガントリ１４を照射する角度に移動した後で、模擬照射ノズル操作用ボタン１１２にて模擬照射ノズル４２を前後（矢印４２ａの方向）に移動させ、模擬照射ノズル４２の位置を調整する。次に、Ｘ線管７０ａ、７０ｂと撮像装置８０ａ、８０ｂを用いて、患者Ａの患部付近のＸ線画像を撮影する。撮影されたＸ線画像は、撮像装置８０ａ、８０ｂにネットワーク１２を介して接続された画像保存サーバ１３に送信され、照射位置決定用画像として保存される。
【００４０】
以上のように、本実施の形態４に係る粒子線治療シミュレータ装置によれば、回転ガントリ１４上に模擬照射ノズル４２及び撮影手段であるＸ線管７０ａ、７０ｂと撮像装置８０ａ、８０ｂを配設したので、回転ガントリを用いた任意の角度からの粒子線治療のリハーサルを行うことができる。
【００４１】
実施の形態５．
図６は、本発明の実施の形態５に係る粒子線治療シミュレータ装置が設置されたシミュレーション室を示す側面図である。なお、図６中、図１と同一、相当部分には同一符号を
付している。本実施の形態５における粒子線治療シミュレータ装置は、基本的には上記実施の形態１と同じ構成であるが、模擬照射ノズル４０の位置からレーザビームを照射可能なレーザ装置１５を備えており、患者Ａの患部に対して実際の粒子線が照射される位置（ビームの中心）を目視で確認できるようにしたものである。
【００４２】
上記実施の形態１〜４における粒子線治療シミュレータ装置では、リハーサルにおいて模擬治療台５０及び模擬照射ノズル４０、４１、４２の位置を調整するが、粒子線のビームの中心が患者Ａのどこにあたるのかを目視することはできない。そこで、本実施の形態５では、駆動架台１６にＸ線管７０ａとレーザ装置１５を設置し、駆動架台１６の動作によりＸ線管７０ａの位置にレーザ装置１５を移動させることができるようにした。その他の構成及び動作については上記実施の形態１と同様であるので説明を省略する。
【００４３】
動作について説明する。リハーサルにおいて粒子線のビームの中心が患者Ａのどこにあたるのかを目視する場合には、駆動架台１６を矢印１６ａの方向に動作させ、Ｘ線管７０ａが設置されていた位置、すなわち模擬照射ノズル４０の照射口の中心にレーザ装置１５を移動させる。その後、患者Ａに対してレーザ装置１５からレーザビームを照射する。これにより、患者Ａの患部に対して実際の粒子線が照射される位置（ビームの中心）を目視で確認することができる。
【００４４】
なお、駆動架台１６はレーザ装置１５が模擬照射ノズル４０の照射口の中心に配置されるように動作するものであればよく、駆動架台１６上に必ずしもＸ線管７０ａとレーザ装置１５を設置する必要はない。
【００４５】
以上のように、本実施の形態５に係る粒子線治療シミュレータ装置によれば、模擬照射ノズル４０の位置からレーザビームを照射可能なレーザ装置１５を備えたので、患者Ａの患部に対して実際の粒子線が照射される位置（ビームの中心）を目視で確認することが可能となり、リハーサルにおける位置調整の精度が向上し、さらに高度な粒子線治療を行うことが可能となる。
【００４６】
実施の形態６．
図７は、本発明の実施の形態６に係る粒子線治療シミュレータ装置が設置されたシミュレーション室を示す上面図である。なお、図７中、図１と同一、相当部分には同一符号を付している。本実施の形態６では、粒子線治療シミュレータ装置の撮影手段として、コンピュータＸ線断層撮影装置（以下ＣＴ装置と記す）１７を用いたものである。その他の構成及び動作については上記実施の形態１と同様であるので説明を省略する。
【００４７】
上記実施の形態１〜５のようにＸ線管７０ａ、７０ｂと撮像装置８０ａ、８０ｂを用いて患者Ａの患部付近のＸ線画像すなわち照射位置決定用画像を撮影し、これをもとに照射時の位置決めを行う場合、画像中の骨の位置を基準にしている。しかし、患者Ａの患部状況、空腹状況、排便状況等によって患者Ａの体内の臓器の位置がリハーサル時と照射時で多少変動し、厳密な位置決めが難しい場合がある。そこで、より厳密な位置決めを行うために、ＣＴ装置で撮影した患者の体内断面図（画像）をもとに位置決めを行うＣＴ位置決め方式が提案されている。本実施の形態６では、このＣＴ位置決め方式を採用した粒子線治療のリハーサルを行えるようにした。
【００４８】
本実施の形態６におけるシミュレーション室１０５内には、上記実施の形態１〜５で用いたＸ線管７０ａ、７０ｂと撮像装置８０ａ、８０ｂに代わってＣＴ装置１７が設置される。ＣＴ装置１７は、矢印１７ａで示すように模擬治療台５０の位置まで移動可能であり、患者Ａの患部付近の体内断面図を撮影する。また、ＣＴ装置１７は、ネットワーク１２を介して画像保存サーバ１３に接続されており、ＣＴ装置１７で撮影された体内断面図は、照射位置決定用画像として画像保存サーバ１３に保存される。
【００４９】
以上のように、本実施の形態６に係る粒子線治療シミュレータ装置によれば、撮影手段としてＣＴ装置１７を備えたので、ＣＴ位置決め方式を採用した粒子線治療のリハーサルを行うことができる。
【産業上の利用可能性】
【００５０】
本発明に係る粒子線治療シミュレータ装置は、粒子線治療において、個々の患者に対して照射位置決定用画像を撮影するとともに照射ノズルの位置を調整するリハーサルと呼ばれる作業を行うためのシミュレータ装置として利用することができる。
【図面の簡単な説明】
【００５１】
【図１】本発明の実施の形態１に係る粒子線治療シミュレータ装置が設置されたシミュレーション室、及び照射室を示す側面図である。
【図２】本発明の実施の形態１に係る照射室を示す上面図である。
【図３】本発明の実施の形態２に係る粒子線治療シミュレータ装置が設置されたシミュレーション室を示す側面図である。
【図４】本発明の実施の形態３に係る粒子線治療シミュレータ装置が設置されたシミュレーション室を示す側面図である。
【図５】本発明の実施の形態４に係る粒子線治療シミュレータ装置が設置されたシミュレーション室を示す側面図である。
【図６】本発明の実施の形態５に係る粒子線治療シミュレータ装置が設置されたシミュレーション室を示す側面図である。
【図７】本発明の実施の形態６に係る粒子線治療シミュレータ装置が設置されたシミュレーション室を示す上面図である。
【符号の説明】
【００５２】
１  粒子線治療装置、２  加速器、３  ビームライン機器群、４  照射ノズル、
５  治療台、６、６０  固定具、７ａ、７ｂ、７０ａ、７０ｂ  Ｘ線管、
８ａ、８ｂ、８０ａ、８０ｂ  撮像装置、９  治療台操作用ボタン、１０  照射室、
１１  照射ノズル操作用ボタン、１２  ネットワーク、１３  画像保存サーバ、
１４  回転ガントリ、１５  レーザ装置、１６  駆動架台、１７  ＣＴ装置、
４０、４１、４２  模擬照射ノズル、５０  模擬治療台、９０  模擬治療台操作用ボタン、１００、１０１、１０２、１０３、１０４、１０５  シミュレーション室、
１１０、１１１、１１２  模擬照射ノズル操作用ボタン。
【図１】
0005015821.tif 000002
【図２】
0005015821.tif 000003
【図３】
0005015821.tif 000004
【図４】
0005015821.tif 000005
【図５】
0005015821.tif 000006
【図６】
0005015821.tif 000007
【図７】
0005015821.tif 000008